【手続補正書】
【提出日】平成25年9月2日(2013.9.2)
【手続補正１】
【補正対象書類名】特許請求の範囲
【補正対象項目名】全文
【補正方法】変更
【補正の内容】
【特許請求の範囲】
【請求項１】
発光素子と、
前記発光素子への駆動電流を制御する駆動トランジスタと、
階調値に対応する電圧が書き込まれ保持するとともに、前記駆動トランジスタのゲートソース間に前記階調値に対応する電圧に応じた表示電圧を印加するための保持容量と、をそれぞれ有する複数の画素と、
前記駆動トランジスタのゲートソース間に、前記表示電圧の取り得る値の範囲外の電圧値を有するストレス電圧を印加するストレス電圧印加手段と、を有することを特徴とする表示装置。
【請求項２】
前記ストレス電圧印加手段は、前記表示電圧の取り得る値の範囲の上限値よりも高い電圧値を有する高電圧値、または、前記表示電圧の取り得る値の範囲の下限値よりも低い電圧値を有する低電圧値の一方を印加し、
前記表示装置は、更に、前記駆動トランジスタのゲートソース間に、前記高電圧値を印加する場合には、前記高電圧値よりも低い電圧値を印加し、前記低電圧値を印加する場合には、前記低電圧値よりも高い電圧値を有する緩和電圧を印加する緩和電圧印加手段を有することを特徴とする請求項１記載の表示装置。
【請求項３】
前記緩和電圧は、前記表示電圧の取り得る値の範囲内の電圧値であることを特徴とする請求項２記載の表示装置。
【請求項４】
前記緩和電圧は、前記ストレス電圧印加手段が前記表示電圧の取り得る値の範囲の上限値よりも高い電圧値を印加する場合には、前記下限値を有し、前記ストレス電圧印加手段が、前記表示電圧の取り得る値の範囲の上限値よりも高い電圧値を印加する場合には、前記上限値を有することを特徴とする請求項３記載の表示装置。
【請求項５】
前記緩和電圧印加手段は、前記ストレス電圧印加手段が前記ストレス電圧を印加した後に、前記緩和電圧を印加することを特徴とする請求項２乃至４記載の表示装置。
【請求項６】
前記複数の画素は、マトリクス状に配置され、
前記表示装置は、更に、
前記表示電圧を生成する表示電圧発生手段と、
前記表示電圧を前記各画素に入力する信号線と、
前記各発光素子に発光電力を供給する電源線と、を有し、
前記各画素は、更に、画素スイッチを有し、
前記駆動トランジスタは電界効果トランジスタであって、
前記保持容量は、前記駆動トランジスタのゲートソース間に配置され、
前記電界効果トランジスタのソースまたはドレインの一方は、前記電源線に、他方は前記発光素子に接続され、
前記電界効果トランジスタのゲートは、前記画素スイッチを介して、前記信号線に接続されることを特徴とする請求項２乃至５記載の表示装置。
【請求項７】
前記表示電圧、前記ストレス電圧に対応するストレス入力電圧、及び、前記緩和電圧に対応する緩和入力電圧を、前記信号線を介して、前記各画素に入力することを特徴とする請求項６記載の表示装置。
【請求項８】
前記表示電圧発生手段は、更に、選択スイッチを有し、
前記表示電圧発生手段は、前記表示電圧、前記ストレス入力電圧、または、前記緩和入力電圧を、前記選択スイッチを介して、選択的に出力することを特徴とする請求項７記載の表示装置。
【請求項９】
前記表示電圧発生手段は、更に、選択スイッチを有し、
前記表示電圧発生手段は、前記ストレス入力電圧、または、前記緩和入力電圧を、前記選択スイッチを介して、選択的に出力することを特徴とする請求項７記載の表示装置。
【請求項１０】
前記ストレス入力電圧は、前記電源線を介して、前記各画素へ入力することを特徴とする請求項７乃至９記載の表示装置。
【請求項１１】
前記表示装置は、更に、前記信号線に対して垂直方向に設けられたストレス電圧線を有し、
前記ストレス入力電圧及び前記緩和入力電圧を、前記ストレス電圧線を介して、前記複数の画素へ入力することを特徴とする請求項６乃至１０記載の表示装置。
【請求項１２】
前記各画素は、更に、発光制御スイッチを有し、
前記電界効果トランジスタは、ｎＭＯＳであり、
前記電界効果トランジスタのソース端子は、前記発光素子に接続され、ドレイン端子は、前記発光制御スイッチを介して、前記電源線に接続され、
前記ストレス電圧を前記保持容量に印加する際、前記発光制御スイッチは、オフ状態に固定されることを特徴とする請求項６乃至１１記載の表示装置。
【請求項１３】
前記各画素は、更に、発光制御スイッチを有し、
前記電界効果トランジスタは、ｎＭＯＳであり、
前記電界効果トランジスタのソース端子は、前記発光素子に接続され、ドレイン端子は、前記発光制御スイッチを介して、前記電源線に接続され、
前記緩和電圧を前記保持容量に印加する際、前記発光制御スイッチは、オフ状態に固定されることを特徴とする請求項６乃至１１記載の表示装置。
【請求項１４】
前記各画素は、更に、発光制御スイッチを有し、
前記電界効果トランジスタは、ｎＭＯＳであり、
前記電界効果トランジスタのソース端子は、前記発光素子に接続され、ドレイン端子は、前記発光制御スイッチを介して、前記電源線に接続され、
前記表示電圧を前記保持容量に印加する際、前記発光制御スイッチは、オフ状態に固定されることを特徴とする請求項６乃至１１記載の表示装置。
【請求項１５】
前記各画素は、更に、発光制御スイッチを有し、
前記電界効果トランジスタは、ｐＭＯＳであり、
前記電界効果トランジスタのソース端子は、前記電源線に接続され、ドレイン端子は、前記発光制御スイッチを介して、前記発光素子に接続され、
前記ストレス電圧を前記保持容量に印加する際、前記発光制御スイッチは、オフ状態に固定されることを特徴とする請求項１乃至１１記載の表示装置。
【請求項１６】
前記各画素は、更に、発光制御スイッチを有し、
前記電界効果トランジスタは、ｐＭＯＳであり、
前記電界効果トランジスタのソース端子は、前記電源線に接続され、ドレイン端子は、前記発光制御スイッチを介して、前記発光素子に接続され、
前記緩和電圧を前記保持容量に印加する際、前記発光制御スイッチは、オフ状態に固定されることを特徴とする請求項１乃至１１記載の表示装置。
【請求項１７】
前記各画素は、更に、発光制御スイッチを有し、
前記電界効果トランジスタは、ｐＭＯＳであり、
前記電界効果トランジスタのソース端子は、前記電源線に接続され、ドレイン端子は、前記発光制御スイッチを介して、前記発光素子に接続され、
前記表示電圧を前記保持容量に印加する際、前記発光制御スイッチは、オフ状態に固定されることを特徴とする請求項１乃至１１記載の表示装置。
【請求項１８】
前記各画素は、更に、チャネルスイッチと、所定の定電圧が印加される低電圧配線とを有し、
前記電界効果トランジスタのドレイン端子は、前記第１のチャネルスイッチを介して、前記低電圧配線に接続されることを特徴とする請求項６乃至１７記載の表示装置。
【請求項１９】
前記チャネルスイッチのゲートは、前記画素スイッチのゲートと共通に接続され、
前記複数の画素は、前記チャネルスイッチを介して、行毎に制御されることを特徴とする請求項１８記載の表示装置。
【請求項２０】
前記各画素は、更に、第１のチャネルスイッチと、第２のチャネルスイッチと、所定の定電圧が印加された低電圧配線とを有し、
前記電界効果トランジスタのドレイン端子は、前記第１のチャネルスイッチを介して、前記低電圧配線に接続され、ソース端子は、前記第２のチャネルスイッチを介して、前記低電圧配線に接続されることを特徴とする請求項６乃至１９記載の表示装置。
【請求項２１】
前記第１及び第２のチャネルスイッチのゲートは、前記画素スイッチのゲートと共通に接続され、
前記複数の画素は、前記第１及び第２のチャネルスイッチを介して、行毎に制御されることを特徴とする請求項２０記載の表示装置。
【請求項２２】
前記低電圧配線は、前記複数の画素のうち、隣接する画素間で共通に接続されることを特徴とする請求項１８乃至２１記載の表示装置。
【請求項２３】
前記発光素子の前記電界効果トランジスタに接続されていない端子は、前記複数の画素のうち、隣接する画素間で共通に接地され、
前記低電圧配線は、前記各画素内で接地されることを特徴とする請求項１８乃至２２記載の表示装置。
【請求項２４】
前記電界効果トランジスタのソース端子は、前記発光素子の一端に接続され、
前記電界効果トランジスタのドレイン端子は、前記電源線に接続され、
前記表示電圧が前記保持容量に印加される際、前記電源線の電圧を、前記発光素子の他端に印加される電圧と等しい電圧とすることを特徴とする請求項６乃至２３記載の表示装置。
【請求項２５】
前記電界効果トランジスタのソース端子は、前記発光素子の一端に接続され、
前記電界効果トランジスタのドレイン端子は、前記電源線に接続され、
前記ストレス電圧が前記保持容量に印加される際、前記電源線の電圧を、前記発光素子の他端に印加される電圧と等しい電圧とすることを特徴とする請求項６乃至２３記載の表示装置。
【請求項２６】
前記電界効果トランジスタのソース端子は、前記発光素子の一端に接続され、
前記電界効果トランジスタのドレイン端子は、前記電源線に接続され、
前記緩和電圧が前記保持容量に印加される際、前記電源線の電圧を、前記発光素子の他端に印加される電圧と等しい電圧とすることを特徴とする請求項６乃至２３記載の表示装置。
【請求項２７】
前記表示装置は、１フレームの期間内に、前記表示電圧を前記複数の画素に線順次で前記保持容量に書込んだ後、前記ストレス電圧及び前記緩和電圧を前記複数の画素に一括で前記保持容量に書込むことを特徴とする請求項６乃至２６記載の表示装置。
【請求項２８】
前記表示装置は、更に、前記表示電圧に対応する表示データを蓄積するメモリと、
前記表示データから前記表示電圧を発生する表示電圧発生手段と、
前記表示装置を駆動する電力を供給する供給装置と、を有することを特徴とする請求項１乃至２７記載の表示装置。